(57)【特許請求の範囲】
【請求項１】
机天板と、この机天板を支持する左右一対の脚体と、この両脚体を互いに連結するステー部材とから成る机において、
前記両脚体の上端に、上面に前記机天板を載置するようにした連結体を連結し、該連結体に、前記ステー部材に対する取付け部を設ける一方、前記両脚体の間であって前記一対の連結体に固定した横長の配線受け樋における上部側の前縁部と、前記机天板の後縁部との隙間を、前記連結体の箇所で狭く、当該左右の連結体の間で大きくなるように、机天板の後縁部を形成したことを特徴とする机の構造。
【請求項２】
前記配線受け樋の上部側には、前記机天板の後縁部との隙間の一部を塞ぐための直線状のカバー体を着脱可能もしくは回動可能に設けたことを特徴とする請求項１に記載の机の構造。
【請求項３】
前記両連結体の上面に、机天板の下面との間に介挿する天板支持板を取付けたことを特徴とする請求項１又は請求項２に記載の机の構造。
【請求項４】
前記机天板上に配置する収納箱体を支持するための支柱の下端を、前記机天板の後角部に当接するように配置し、前記支柱の下端を前記天板支持板に着脱自在可能に連結したことを特徴とする請求項３に記載の机の構造。
【発明の詳細な説明】
【０００１】
【発明の属する技術分野】
本発明は、筆記又はコンピュータ操作等のような各種のデスクワークを行う事務等に使用される机のうち、机天板と、この机天板を支持する左右一対の脚体とから成る机の構造に関するものである。
【０００２】
【従来の技術と発明が解決しようとする課題】
一般に、この種の机は、基本的に、前記左右の脚体の相互間を、机天板にて連結するか、これに加えて横方向に延びるステー部材にて連結して補強するものであった。さらに、前記左右の脚体の内面に連結した横長の配線受け樋が机天板の後縁と平行状になるように配置し、前記配線受け樋の上面には、机天板の後縁との間の隙間を塞ぐように軟質ゴムからなる蓋片が取付けられたものが公知であった。
【０００３】
この構成によれば、前記両脚体と、この両脚体間を連結するステー部材及び配線受け樋との連結を、金属板にて中空状に形成した脚体の側面板に対してボルトにてステー部材を締結するという構成にしているから、この連結部分における剛性を向上するには、中空の脚体を形成する金属板の板厚、該ステー部材及び配線受け樋を形成する金属板の板厚を相当に厚くしなければならないか、或いは、この脚体とステー部材及び配線受け樋との間に補強部材を設けるようにしなければならないという問題があった。
【０００４】
また、前記机天板の後縁と左右両側縁との後角部において、机天板の上方に配置する収納箱体のための支柱を立設するときには、その下方に脚体の上端が位置するので、前記机天板の後縁部と平行状で配線受け樋の上面を塞ぐ蓋片を設けることができなくなるという問題もあった。
【０００５】
本発明は、これらの問題を解消することを技術的課題とするものである。
【０００６】
【課題を解決するための手段】
前記技術的課題を達成するため、請求項１に記載の発明の机の構造は、机天板と、この机天板を支持する左右一対の脚体と、この両脚体を互いに連結するステー部材とから成る机において、前記両脚体の上端に、上面に前記机天板を載置するようにした連結体を連結し、該連結体に、前記ステー部材に対する取付け部を設ける一方、前記両脚体の間であって前記一対の連結体に固定した横長の配線受け樋における上部側の前縁部と、前記机天板の後縁部との隙間を、前記連結体の箇所で狭く、当該左右の連結体の間で大きくなるように、机天板の後縁部を形成したものである。
【０００７】
また、請求項２に記載の発明は、請求項１に記載の机の構造において、前記配線受け樋の上部側には、前記机天板の後縁部との隙間の一部を塞ぐための直線状のカバー体を着脱可能もしくは回動可能に設けたものである。
【０００８】
そして、請求項３に記載の発明は、請求項１又は請求項２に記載の机の構造において、前記両連結体の上面に、机天板の下面との間に介挿する天板支持板を取付けたものである。
【０００９】
さらに、請求項４に記載の発明は、請求項３に記載の机の構造において、前記机天板上に配置する収納箱体を支持するための支柱の下端を、前記机天板の後角部に当接するように配置し、前記支柱の下端を前記天板支持板に着脱自在可能に連結したものである。
【００１０】
【発明の実施の形態】
次に、本発明を具体化した実施の形態を説明する。図１は机天板１の左右両端を脚体２、２にて支持してなる机を示し、断面矩形筒状の横長のステー部材４の両端は、前記両脚体２の上端の各々に後述する机天板支持体１８及びボルトにて固定した連結体１１に接続される。合成樹脂製の押出材からなる配線受け樋５は前記机天板１の後面に沿って延びるように配設されている。
【００１１】
前記両脚体２は、床面上を机に対して前後方向に延びる下アーム部材６と、この下アーム部材６の上面から立設する金属板製中空状の脚柱７と、同じく前記下アーム部材６の上面から前記脚柱７の後面に沿って立設する金属板製中空状の補助脚柱８とによって構成されている。
【００１２】
前記補助脚柱８の断面形状は、略正方形であるが、前記脚柱７の断面形状は、図４及び図５に示すように、その外側面板を机の前後方向に略真っ直ぐな平面に、その内側面板を後方に向かって湾曲しながら内向きに傾斜した湾曲傾斜面にするというように一つの湾曲辺と二つの直線辺とを有する略三角形に形成されている。また、これら各脚柱７，８は、前記下アーム部材６の上面に対してボルト９，１０の締結にて着脱自在に連結されている。なお、脚柱７及び補助脚柱８を一体的に作っても良い。
【００１３】
前記連結体１１は、平面視において略正方形に形成された金属製等からなるブロック体であり、その一つの角部の補助脚取付け部１２を前記補助脚柱８の上端面に対してボルト１３の締結にて着脱自在に取付けられる。
【００１４】
また、前記連結体１１の各側面のうち前記補助脚取付け部１２を有する一つの角部を挟んで互いに直角をなす二つの側面には、前記脚柱７の上端に対して机天板支持体１８と共にボルト１５の締結にて着脱自在に取付けられる脚取付け部１４が一体的に設けられ、他方の脚取付け部１４に、前記配線受け樋５の一端部を、ボルト１５′の締結にて着脱自在に連結する。
【００１５】
更にまた、前記連結体１１の各側面のうち前記補助脚取付け部１２を有する一つの角部と対角をなす他の一つの角部に隣接して互いに直角をなす二つの側面には、前記横長のステー部材４の取付け部であるところの棒片１６を横向きに一体的に突出して、これに前記ステー部材４の一端を被嵌したのちボルト１７を締結することにより、ステー部材４を着脱自在に連結する。
【００１６】
しかして、連結体１１は、平面視において、前記補助脚取付け部１２から、２つの棒片１６、１６の挟む対の角部を通る対角線に対して対称形に形成されている。
【００１７】
そして、前記両連結体１１の上面には、机の前後方向に延びる机天板支持板１８を配設して、この机天板支持板１８を、前記連結体１１に着脱自在に取付けて、この両机天板支持板１８の上面に、前記机天板１を載せるように構成する。
【００１８】
なお、本実施の形態の場合、前記机天板支持板１８の取付けは、連結体１１の脚柱７に対する取付け用ボルト１５、及び配線受け樋５の連結体１１に対する取付け用ボルト１５′を利用して行うように構成され、且つ、この机天板支持板１８は、前記脚柱７に対しても、複数の凹所１８ａ及び上孔１８ｂを介してボルト２０の締結にて着脱自在に取付けられている（図６参照）。従って、脚体２に対する連結体１１、配線受け樋５、机天板支持体１８及びステー部材４の取付けはすべて上方からのボルト締め作業で行える。
【００１９】
前記机天板支持板１８に、机天板１の下面に沿って前方に延びる上アーム部材１９を下からのビスにて固着することにより、この上アーム部材１９によっても机天板１を支持するように構成されている。前記机天板１における左右両側のうち前記脚柱７及び補助脚柱８に該当する部分には、これらを露出するようにした側方切欠部１ａが設けられ（図４参照）、この側方切欠部１ａには、この切欠部１ａ内のうち前記脚柱７の上端における連結体１１、机机天板支持板１８及び前記補助脚柱８の上端における連結体１１を一体的に覆い隠すようにしたキャップ体２２が着脱自在に設けられている。
【００２０】
また、机天板１の後縁部は、図１（ｂ）の実線、図３及び図５の二点鎖線で示すように、前記左右両側の連結体１１と配線受け樋５の左右両側端部との取付け箇所で、当該配線受け樋５の上部側５ａとの間隔が狭く、それより内側の左右連結体１１、１１の間で、前記上部側の前縁部５ａとの間隔が寸法Ｌ１と広くなるように、切欠き形成する。即ち、机天板１の後縁部のうち左右両側端部を除き、後端切欠き部１ｂを形成する。
【００２１】
前記配線受け樋５は、図７に示すように、前記机天板１の後縁部の下方において、前記後端切欠き部１ｂより前方に位置する受け樋部５ｂを有する一方、配線受け樋５の上部側の前縁部５ａには、前記後端切欠き部１ｂとの隙間のうち寸法Ｌ２を残してこれを塞ぐようにした直線状のカバー体２３の基部係合部２３ａと、前記後端切欠き部１ｂに設けた断面半円弧状の係合支持部２４とが着脱自在、且つ上下回動可能に連結され、カバー体２３を上方に回動したとき（図７参照）、前記机天板１の後縁部との隙間が広くなり、机天板５上のＯＡ機器からの配線を前記受け樋部５ｂ上に簡単に落とし込むことができるように構成されている。なお、後述するように、支柱２５を取付けする水平フランジ２７の上面箇所は長さの短い端カバー体２１を、前記前縁部５ａに対して着脱自在且つ回動可能に設けている。
【００２２】
さらに、前記連結体１１の上面に机天板支持体１８及び机天板１を取付けした状態にて、図１（ａ）、図２、図 8及び図 9に示すように、机天板１の上方後部側に左右一対の支柱２５、２５を介して収納箱体２６を立設配置するため、支柱２５の基部の相互に直角方向に延びる一対の水平フランジ２７を机天板１の後角部に当接させた状態で、机天板支持体１８の上面に載置し、 4本のボルト２８にて固定するものである。このとき、各支柱２５の横断面は前記机天板１の後角部に当接するＬ字状部２５ａと机天板１の上面側に位置する四分の一の凹円弧部２５ｂとからなるように形成され、凹円弧部２５ｂの下端縁が机天板１上面に載置されるように切欠き形成されている（図 9参照）。
【００２３】
前記キャップ体２２は、合成樹脂材等にて形成されており、図１０〜図１２に示すごとく、下面側には、前記机天板支持体１８における孔１８ｂに嵌まるピン３０や補助脚取付け部１２の上面に突出する角部２９に嵌合する凹所３１などが一体的に形成されている。さらに、前記キャップ体２２の後部寄り部位には、上面及び左右両側に開放されるコード挿通溝３３が凹み形成されており、このコード挿通溝３３の上面は図１２（ａ）に示す上補助キャップ３２の一対の係合爪３４ａを、コード挿通溝３３内面に設けた係止溝３３ａに着脱自在係止させる。他方、縦補助キャップ３５の内面に形成された一対の上係合爪３６ａ，３６ａを前記係止溝３３ａに着脱自在係止させる一方、一つの下係合爪３６ｂを下係止溝３３ｂに着脱自在に係止させる。この縦補助キャップ３５は脚体２の外側面に対するものである。この構成により、この種の机を横に並べたとき、前記上補助キャップ３２及び縦補助キャップ３５を除去したから、一方の机天板１の後端下方の配線受け樋１５の端部から机天板支持体１８の後部を通した配線コードを、コード挿通溝３３を介して隣接する脚体２上の前記と同じ構造のコード挿通溝３３に挿通させた後、端カバー体２１と上補助キャップ３２を夫々の箇所に被せると、机の上面後部がすっきりとする。
【００２４】
上記のように構成することにより、両脚体２の上端に使用した連結体１１は、脚体２における脚柱７に対して、強固に取付けられることになる。そして、この連結体１１に対してステー部材４及び配線受け樋５を取付けることで、このステー部材４及び配線受け樋５を、両脚体２に対し前記連結体１１を介して強固に連結することができるから、前記連結部分における剛性を、従来のように、脚柱の板厚さを厚くしたり、或いは、別の補強部材を使用したりすることなく、大幅にアップすることができる。
【００２５】
この場合において、前記連結体１１には、一つの角部を挟んで直角をなす二つの側面の各々に脚取付け部１４が、他の角部を挟んで直角をなす二つの側面に各々にステー部材４の取付け部であるところの棒片１６が設けられる等、平面視で前記両角部を結ぶ対角線に対して対称形状にすることにより、図示において机の左右に位置する両連結体１１を、左右入れ換えて使用することができるというように、同じ形状の共通部品にすることができる。
【００２６】
また、前記机天板１を、前記連結体１１の上面に机の前方向に延びるように取付けた机天板支持板１８にて支持したことにより、前記机天板１を、その手前側の部分まで確実に支持することができる。
【００２７】
更にまた、前記机天板支持板１８を、前記連結体１１と、脚体２との両方に取付けたことにより、この机天板支持板１８の取付け強度、及び連結体１１の脚体２に対する取付け強度を向上することができる。
【００２８】
そして、前記両脚体２、２の間であって前記一対の連結体１１，１１に固定した横長の配線受け樋５における上部側の前縁部５ａと、前記机天板１の後縁部との隙間を、前記連結体１１の箇所で狭く、当該左右の連結体１１，１１の間で大きくなるように、後方切欠き部１ｂを設けて机天板の後縁部を形成したものである。したがって、当該机天板１の後縁部の幅方向中途部で、配線受け樋５からの配線コードの出し入れが簡単にできる一方、机天板１の後縁の左右両側角部では、配線受け樋５における上部側の前縁部５ａとの隙間を狭くする箇所で脚体の上端及び連結体１１と強固に固定できると共に、机天板１の後縁の左右両側角部を脚体の上端うちのなるべく後端寄りに配置した状態で、机天板１上への支柱の立設隙間も確保できるという効果を奏する。
【００２９】
なお、図１３（ｂ）及び図１４に示すように、机天板１′を平面視Ｌ字状に形成したときには、前記Ｌ字状のコーナ部の脚体２′は角柱状に形成してその上端に前記と同じ連結体１１と、平面視正方形の机天板支持体３７とをボルトにて固定して机天板１′の下面をボルト連結すれば良い。その他の構成は前記実施形態と同じであるので、詳細な説明は省略する。
【００３０】
【発明の作用・効果】
請求項１に記載の発明の机の構造は、机天板と、この机天板を支持する左右一対の脚体と、この両脚体を互いに連結するステー部材とから成る机において、前記両脚体の上端に、上面に前記机天板を載置するようにした連結体を連結し、該連結体に、前記ステー部材に対する取付け部を設ける一方、前記両脚体の間であって前記一対の連結体に固定した横長の配線受け樋における上部側の前縁部と、前記机天板の後縁部との隙間を、前記連結体の箇所で狭く、当該左右の連結体の間で大きくなるように、机天板の後縁部を形成したものである。
【００３１】
したがって、連結部分における剛性を、従来のように、脚柱の板厚さを厚くしたり、或いは、別の補強部材を使用したりすることなく、ステー部材及び配線受け樋を、両脚体に対し前記連結体を介して強固に連結することができる。また、机天板の後端縁をなるべく後方に寄せながら、配線受け樋との間の隙間を確保して、配線コードの挿通も可能とし、さらに、机天板の後縁部の幅方向中途部の隙間の大きい箇所で、配線受け樋からの配線コードの出し入れが簡単にできる一方、机天板の後縁の左右両側角部では、配線受け樋における上部側の前縁部との隙間を狭くする箇所で脚体の上端及び連結体と強固に固定できると共に、机天板の後縁の左右両側角部を脚体の上端うちのなるべく後端寄りに配置した状態で、机天板上への支柱の立設隙間も確保できるという効果を奏する。
【００３２】
また、請求項２に記載の発明は、請求項１に記載の机の構造において、前記配線受け樋の上部側には、前記机天板の後縁部との隙間の一部を塞ぐための直線状のカバー体を着脱可能もしくは回動可能に設けたものであるから、このカバー体を開けると、配線受け樋と机天板との間の配線コードの出し入れが容易となり、その後、カバー体を閉じて机天板との隙間を可及的に少なくできるという効果を奏する。
【００３３】
そして、請求項３に記載の発明は、請求項１又は請求項２に記載の机の構造において、前記両連結体の上面に、机天板の下面との間に介挿する天板支持板を取付けたものであるから、前記机天板支持板を、前記連結体と、脚体との両方に取付けたことにより、この机天板支持板の取付け強度、及び連結体の脚体に対する取付け強度を一層向上させることができる。
【００３４】
さらに、請求項４に記載の発明は、請求項３に記載の机の構造において、前記机天板上に配置する収納箱体を支持するための支柱の下端を、前記机天板の後角部に当接するように配置し、前記支柱の下端を前記天板支持板に着脱自在可能に連結したものであるから、脚体に机天板を取付けした状態にて支柱の基部を机天板支持体に強固に取付けできると共に、当該支柱の立設の作業も容易にできるという効果を奏する。
【図面の簡単な説明】
【図１】（ａ）は本発明の実施の形態による事務用机の正面図、（ｂ）は平面図である。
【図２】図１の右側面図である。
【図３】机天板とキャップを除去した状態の平面図である。
【図４】要部の分解斜視図である。
【図５】図１において机天板を除いた状態の要部拡大平面図である。
【図６】図５のVI−VI視拡大断面図である。
【図７】図５のVII −VII 視断面図である。
【図８】支柱を立設したときの机天板を除去した状態での平面図である。
【図９】図８のIX−IX視拡大断面図である。
【図１０】キャップの斜視図である。
【図１１】脚体上にキャップを被嵌した連結部を示す一部切欠き側面図である。
【図１２】（ａ）は上補助キャップの斜視図、（ｂ）は縦補助キャップの斜視図である。
【図１３】（ａ）別実施形態の正面図、（ｂ）は平面図である。
【図１４】前記別実施形態におけるコーナ部の拡大平面図である。
【符号の説明】
１              机天板
１ｂ            後方切欠き部
２              脚体
４              横長のステー部材
５              配線受け樋
７              脚柱
８              補助脚柱
１１            連結体
１４            脚取付け部
１６            ステー部材に対する取付け部
１８            天板支持板
２１            端カバー体
２２            キャップ
２３            カバー体
【図１】
0004180225.tif 000002
【図２】
0004180225.tif 000003
【図３】
0004180225.tif 000004
【図４】
0004180225.tif 000005
【図５】
0004180225.tif 000006
【図６】
0004180225.tif 000007
【図７】
0004180225.tif 000008
【図８】
0004180225.tif 000009
【図９】
0004180225.tif 000010
【図１０】
0004180225.tif 000011
【図１１】
0004180225.tif 000012
【図１２】
0004180225.tif 000013
【図１３】
0004180225.tif 000014
【図１４】
0004180225.tif 000015